(57)【要約】【課題】座椅子となる折り畳み式収納箱の提供。【解決手段】本考案の座椅子となる折り畳み式収納箱は、箱体、底板、蓋体からなる。箱体の軟性底面四辺は、それぞれ、上方に側壁を延伸し、相対する両側壁は剛性で彎折せず、もう一つの相対する両側壁は剛性であるが、垂直方向に延伸する折線を有して、側壁を彎折させ、相隣する側壁間も彎折できる。底板は剛性で、箱体の底面に置入して各職壁を支承する。蓋体の頂面内部は発泡体を包覆し、頂面四辺は下方に延伸壁を延伸し、各延伸壁と頂面は彎折し、対称の二側壁二側は、三面交差する角端から自由辺に延伸する傾斜折線を有する。蓋体が箱体上の覆蓋する時、座椅子として使用でき、不使用時、蓋体と箱体は扁平状に折り畳むことができる。【選択図】    図２
0003121096.tif 000002
【実用新案登録請求の範囲】
【請求項１】
座椅子となる折り畳み式収納箱であって、
軟性の底面を有し、前記底面四辺はそれぞれ上方に側壁を延伸し、相対する両側壁は剛性で彎折せず、もう一つの相対する両側壁は剛性であるが、垂直方向に延伸した折線により側壁を彎折することができ、相隣する側壁間も彎折できる箱体と、
前記箱体底面に対応する剛性板体である底板と、
その頂面四辺は下方に延伸壁を延伸し、各延伸壁と前記頂面は彎折でき、対称な両延伸壁の二側は、三面が交差する角端から自由辺に傾斜折線を延伸する蓋体と、
からなることを特徴とする収納箱。
【請求項２】
前記蓋体の頂面内部は緩衝パッドを有することを特徴とする請求項１に記載の収納箱。
【請求項３】
前記蓋体、及び、前記箱体の開口端は正方形で、且つ、前記箱体の折線は、前記側壁の中央に位置することを特徴とする請求項１、或いは、２に記載の収納箱。
【考案の詳細な説明】
【技術分野】
【０００１】
本考案は座椅子と収納箱の功能を兼ね備える用品に関するものであって、特に、収納箱は物品の収納の功能以外に、不使用時、折り畳めるので収蔵に便利なだけでなく、更に、収納箱を座椅子としても使用できるような収納箱に関するものである。
【背景技術】
【０００２】
体積を縮小して収蔵を便利にする理由により、公知の折り畳み式収納箱の種類は非常に豊富である。例えば、ある設計は、軟質布材により直方体の箱体を形成し、箱体上端の四辺に、それぞれ、上水平棒を設置し、箱体下端の相対する両辺に、それぞれ、下水平棒を設置し、箱体の四個の垂直辺は、それぞれ、立棒を設置する。且つ、相隣する上水平棒端部の間、相隣する下水平棒端部の間、及び、立棒と上下水平棒の端部の間は、適当な距離で保持されている。この箱体の各垂直壁面は、対角交差の折線を形成している。この構造により、軟質の箱体は立棒、上水平棒と下水平棒により支承されて、物品を放置できる置物箱になり、折り畳んで扁平状になる。
【０００３】
公知技術では、箱体は軟質の布材で形成され、各角端は棒素子により支承されるが、箱体各面は柔軟であり、椅子としての使用は無理である。
【考案の開示】
【考案が解決しようとする課題】
【０００４】
本考案の目的は、収納箱を物品の収納の功能以外に、不使用時、折り畳んで小さくなり収蔵に便利なだけでなく、更に、収納箱を座椅子としても使用できるような収納箱を提供することにある。
【課題を解決するための手段】
【０００５】
本考案の座椅子と収納箱の功能を兼ね備える用品は、適当な型さの材料を使用して箱体、或いは、蓋体の四個の側壁を形成し、撓性を有する材料（帆布、プラスチック布等）により、硬質の側壁外面を包覆し、側壁と側壁の間に適当なギャップを保持すると共に、撓性材料により連接して、側壁と側壁間に、自然に折線が形成されて彎折が可能である。
【０００６】
更に、本考案は、板体全面を箱体、或いは、蓋体の相対する両側に設けて、彎折しない側壁とし、箱体、或いは、蓋体のもう一つの相対する両側は、それぞれ、二片の相同な長さ、或いは、不相同な長さの板体により、箱体の両側壁を構成すると共に、外面は前述の撓性材料を包覆し、これにより、板体の間のギャップは撓性材料により連接して彎折でき、箱体全体、或いは、蓋体を扁平な状態に折り畳むことができ、収蔵に便利である。
【考案の効果】
【０００７】
本考案の収納箱は、物品の収納の功能以外に、不使用時、折り畳んで空間を占有せず、更には、収納箱を座椅子としても使用できる。              
【考案を実施するための最良の形態】
【０００８】
図１は、本考案の好ましい実施例の立体図である。本考案は、正方形箱体１と正方形の蓋体２により座椅子を構成し、使用者は蓋体２上面に座ることができる。
【０００９】
図２は、本考案の箱体１の構造図である。底面四辺はそれぞれ、上方に側壁１１を延伸し、その相対する両側壁は剛性で彎折せず、もう一つの相対する両側壁は、剛性であるが、垂直方向に延伸する折線１２を有して側壁１１を彎折させることができ、相隣する側壁の間も彎折できる。本考案は、適当な硬度を有する材料（帆布、プラスチック布）により、硬質の側壁外面を包覆し、側壁と側壁の間は、適当なギャップを保持すると共に、撓性材料で連接し、側壁と側壁の間は自然に折線を形成して彎折できる。箱体１を円滑に折り畳むために、箱体１の底面（図示しない）は、好ましくは、撓性材料を採用する。
【００１０】
箱体１が開かれた後定位できるようにするため、本考案は更に、箱体１底面に対応する剛性底板３を提供し、この底板３を箱体１の底面に置入し、底板３の各辺は箱体１内径の各面と抵接し、箱体を立たせる。
【００１１】
蓋体２は直方体で、箱体１を覆蓋する。蓋体２は頂面を有し、頂面四辺は下方に延伸壁２１を延伸し、各延伸壁２１と頂面は彎折し、対称な二つの延伸壁の二側は、三面が交差する角端から自由辺に延伸する傾斜折線２２を有する。蓋体２の頂面内部は緩衝パッド２３を包覆する（図５で示される）。緩衝パッド２３は、好ましくは、発泡体である。蓋体も同様に適当な硬度を有する材料から、正方形の蓋体の四個の延伸壁を形成し、撓性材料（帆布、プラスチック布）により硬質の延伸壁外面を包覆し、延伸壁と延伸壁の間は適当なギャップを保持すると共に、撓性材料により連接して、延伸壁と延伸壁の間は、自然に折線を形成して折線２２を形成する。
【００１２】
前述の素子により、座椅子として使用したい時、直接、底板３を箱体１内部の底面上に置入し、底板３各辺が箱体内径の各面を抵接し、その後、蓋体２を箱体１上方に覆蓋し、箱体２頂面内部に設置された緩衝パッド２３が、使用者に心地よい座り心地を提供する。
【００１３】
不使用時には、蓋体２を箱体１から分離し、底板３を箱体１内から取り出して、箱体１を折線１２に沿って彎接し（図３で示される）、最後に、図４で示されるように、扁平状に折り畳むことができる。蓋体２の相対する両側の延伸壁２１は、折線２２に沿って彎接することができ（図７で示される）、最後に、蓋体２を扁平状に折り畳むことができる（図８で示される）。この他、図６は、本考案の蓋体２の構造図で、正方形の頂面の各辺が連接する各延伸壁２１と２１Aで、相隣する延伸壁２１と２１Aは相連しないが、延伸壁２１端部は折片２４を連接し、折片２４上に、フック２４１を設置し、延伸壁２１Aの端部に接近する外側面に、ループ２４２を設置し、各延伸壁２１、２１Aは頂面に相対して垂直に彎折した後、折片２３を彎折し、ループ２４１とフック２４２が相互に粘合固定する。
【００１４】
図９は、本考案のもう一つの実施例を示す図である。箱体１は直方体に設計され、蓋体も対応して長方形に設計でき、図中では蓋体は表示されていない。直方体の箱体１を円滑に彎折するために、本考案は、箱体１の相対する両側壁の折線１２で、それぞれ、二側壁を長さが異なる長側壁１１Aと短側壁１１Bに分け、且つ、短側壁１１Bの長さは、連接するもう一つの側壁１１Cの長さより短く、且つ、短側壁１１Cの長さは、長側壁１１Aの長さより短い。長側壁１１Aと短側壁１１Bは相反する位置である。つまり、側壁１１Cの左辺と右辺は、それぞれ、短側壁１１Bと長側壁１１Aに連接され、もう一つの側壁１１Cの左辺と右辺も、それぞれ、短側壁１１Bと長側壁１１Aに連接される。箱体内部は、垂直に仕切り板１３を設置し、仕切り板１３は箱体両側の折線１２の間に位置する。仕切り板１３の三辺と箱体１の相対する側壁と底面はマジックテープにより固定される。
【００１５】
これにより、図９で示される直方体の箱体は、折り畳み時、仕切り板１３を取り出すか、翻転させて側壁に合わせた後、両側壁を折線１２に沿って、内側方向に推動して彎折し（図１０で示される）、二片の短側壁１１Bを、それぞれ、両側壁１１Cの内側面に合わせ、これと同時に、両長側壁１１Aの内側面も互いに合わせ（図１１で示される）、最後に、折線１２に沿って彎折し、箱体１全体を扁平状に折り畳む。
【図面の簡単な説明】
【００１６】
【図１】本考案の第一実施例の箱体と蓋体組み合わせ後の立体図である。
【図２】本考案の箱体１、底板、蓋体を分離後の立体分解図である。
【図３】本考案の第一実施例の箱体彎折時の立体図である。
【図４】本考案の第一実施例の箱体折り畳み時の立体図である。
【図５】本考案の第一実施例の蓋体構造の立体図である。
【図６】本考案の蓋体のもう一つの実施例の立体図である。
【図７】本考案の第一実施例の蓋体彎折時の立体図である。
【図８】本考案の第一実施例の蓋体折り畳み時の立体図である。
【図９】本考案の第二実施例の箱体構造を示す立体図である。
【図１０】本考案の第二実施例の箱体彎折時の立体図である。
【図１１】本考案の第二実施例の箱体折り畳み時の立体図である。
【符号の説明】
【００１７】
１…箱体
１１…側壁
１１A…長側壁
１１B…短側壁
１１C…側壁
１２…折線
１３…仕切り板
２…蓋体
２１…延伸壁
２１A…延伸壁
２２…折線
２３…緩衝パッド
２４…折片
２４１…
２４２…
３…底板
【図１】
0003121096.tif 000003
【図２】
0003121096.tif 000004
【図３】
0003121096.tif 000005
【図４】
0003121096.tif 000006
【図５】
0003121096.tif 000007
【図６】
0003121096.tif 000008
【図７】
0003121096.tif 000009
【図８】
0003121096.tif 000010
【図９】
0003121096.tif 000011
【図１０】
0003121096.tif 000012
【図１１】
0003121096.tif 000013